【手続補正書】
【提出日】平成18年3月13日(2006.3.13)
【手続補正１】
【補正対象書類名】特許請求の範囲
【補正対象項目名】全文
【補正方法】変更
【補正の内容】
【特許請求の範囲】
【請求項１】
デマンドベース・トレーディング・オークションを行うためのコンピュータ・システムであって、
複製組の少なくとも１つの条件付請求権における、条件付請求権の少なくとも１つのパラメータを、前記デリバティブ・ストラテジーの少なくとも１つのパラメータ、及び前記事象の結果の関数として決定すること、及び
前記複製組における前記条件付請求権に対する投資額を、前記条件付請求権の前記少なくとも１つのパラメータ、及び、前記デマンドベース・オークションに投資された合計額の関数として決定することを行うように構成された、少なくとも１つのプロセッサ（１００）を含む、コンピュータ・システム。
【請求項２】
少なくとも１つのデータベース・モジュール（２６０）と、
少なくとも１つの端末（１６０−２００）とをさらに含み、前記プロセッサ（１００）は、前記少なくとも１つのデータベース・モジュール（２６０）及び前記少なくとも１つの端末（１６０−２００）と共に動作する、請求項１に記載のコンピュータ・システム。
【請求項３】
前記少なくとも１つのプロセッサ（１００）は、第１のプロセッサ、及び、前記第１のプロセッサに並列の第２のプロセッサを含む、請求項１に記載のコンピュータ・システム。
【請求項４】
前記第１のプロセッサは前記第２のプロセッサと共に動作し、各プロセッサは、複製組の少なくとも１つの条件付請求権における、条件付請求権の少なくとも１つのパラメータを、前記デリバティブ・ストラテジーの少なくとも１つのパラメータ、及び前記事象の結果の関数として決定すること、並びに、前記複製組における前記条件付請求権に対する投資額を、前記条件付請求権の前記少なくとも１つのパラメータ、及び、前記デマンドベース・オークションに投資された合計額の関数として決定することのうち、少なくとも１つを行うように構成される、請求項３に記載のコンピュータ・システム。
【請求項５】
前記第１のプロセッサは、複製組の少なくとも１つの条件付請求権における、条件付請求権の少なくとも１つのパラメータを、前記デリバティブ・ストラテジーの少なくとも１つのパラメータ、及び前記事象の結果の関数として決定することを行うように構成され、前記第２のプロセッサは、前記複製組における前記条件付請求権に対する投資額を、前記条件付請求権の前記少なくとも１つのパラメータ、及び、前記デマンドベース・オークションに投資された合計額の関数として決定することを行うように構成される、請求項３に記載のコンピュータ・システム。
【請求項６】
前記プロセッサ（１００）及び前記少なくとも１つのデータベース・モジュール（２６０）を収容するサーバと、
前記少なくとも１つのデータベース・モジュール（２６０）及び前記プロセッサ（１００）を、前記少なくとも１つの端末（１６０−２００）と接続するネットワーク（１１０）とをさらに含む、請求項２に記載のコンピュータ・システム。
【請求項７】
前記複製組における前記条件付請求権はデジタル・オプションである、請求項１−６のいずれか１項に記載のコンピュータ・システム。
【請求項８】
前記デリバティブ・ストラテジーの前記少なくとも１つのパラメータは、前記デリバティブ支払い関数である、請求項１−６のいずれか１項に記載のコンピュータ・システム。
【請求項９】
前記条件付請求権の前記少なくとも１つのパラメータは、希望する支払い及び少なくとも１つの選択された状態であり、各選択された状態は、複数の状態の１つであり、各状態は、前記事象の少なくとも１つの生じうる結果に対応する、請求項８に記載のコンピュータ・システム。
【請求項１０】
前記少なくとも１つのプロセッサ（１００）はさらに、前記複数の状態を確立する、請求項１−６のいずれか１項に記載のコンピュータ・システム。
【請求項１１】
前記デマンドベース・オークションに投資された前記合計額は、前記オークションにおいて前記複数の状態に投資された合計額である、請求項１０に記載のコンピュータ・システム。
【請求項１２】
前記条件付請求権の前記少なくとも１つのパラメータを決定する前記少なくとも１つのプロセッサ（１００）はさらに、
前記複製組における前記条件付請求権の前記希望する支払い及び前記少なくとも１つの選択された状態を、前記デリバティブ支払い関数、及び、前記デリバティブ支払い関数の条件付期待値の関数として決定する、請求項１０に記載のコンピュータ・システム。
【請求項１３】
前記少なくとも１つのプロセッサ（１００）はさらに、
前記複製組に対する複製リターンを、前記デリバティブ支払い関数、前記デリバティブ支払い関数の条件付期待値、及び前記事象の生じうる結果の関数として決定する、請求項１２に記載のコンピュータ・システム。
【請求項１４】
前記少なくとも１つのプロセッサ（１００）はさらに、
前記複製組における各条件付請求権の前記希望する支払い及び前記少なくとも１つの選択された状態を決定するために、前記複製組はゼロに等しい期待複製リターンを有するという第１の条件を実質的に満足させる、請求項１３に記載のコンピュータ・システム。
【請求項１５】
前記少なくとも１つのプロセッサ（１００）はさらに、
前記複製組における各条件付請求権の前記希望する支払い及び前記少なくとも１つの選択された状態を決定するために、前記複製組はゼロに等しいメジアン複製リターンを有するという第１の条件を実質的に満足させる、請求項１３に記載のコンピュータ・システム。
【請求項１６】
前記オークションのための前記事象は、経済的に重要である１次元の事象である、請求項１０に記載のコンピュータ・システム。
【請求項１７】
前記少なくとも１つのプロセッサ（１００）はさらに、
前記オークションのための前記事象の少なくとも１つの測定可能なパラメータを選択する、請求項１６に記載のコンピュータ・システム。
【請求項１８】
前記複数の前記状態を確立する前記少なくとも１つのプロセッサ（１００）はさらに、
前記オークションにおいて前記複数の状態を確立し、各状態は、前記事象の前記少なくとも１つの測定可能なパラメータの少なくとも１つの生じうる結果に対応する、請求項１７に記載のコンピュータ・システム。
【請求項１９】
前記少なくとも１つの測定可能なパラメータは、前記事象の第１の測定可能な変数及び第２の測定可能な変数を含む、請求項１８に記載のコンピュータ・システム。
【請求項２０】
前記少なくとも１つのプロセッサ（１００）はさらに、
前記オークションにおいて前記複数の状態を確立し、各状態は、各測定可能なパラメータの少なくとも１つの生じうる結果に対応し、前記第１の測定可能なパラメータの前記少なくとも１つの生じうる結果は、前記第２の測定可能なパラメータの前記少なくとも１つの生じうる結果に依存する、請求項１９に記載のコンピュータ・システム。
【請求項２１】
前記少なくとも１つのプロセッサ（１００）はさらに、
前記少なくとも１つの測定可能なパラメータを、前記第１の測定可能な変数の関数として、又は前記第１の測定可能な変数及び前記第２の測定可能な変数の関数として決定する、請求項１９に記載のコンピュータ・システム。
【請求項２２】
前記少なくとも１つのプロセッサ（１００）はさらに、
前記オークションのための前記少なくとも１つの事象の前記生じうる結果についての分布を推定する、請求項１０に記載のコンピュータ・システム。
【請求項２３】
前記少なくとも１つのプロセッサ（１００）はさらに、
前記少なくとも１つの事象の前記生じうる結果に分布を適合させる、請求項２２に記載のコンピュータ・システム。
【請求項２４】
前記少なくとも１つのプロセッサ（１００）はさらに、
前記少なくとも１つの事象についての分布を選択する、請求項２２に記載のコンピュータ・システム。
【請求項２５】
前記選択された分布は正規分布、対数正規分布、ｔ分布、ガンマ分布、連続型分布の離散バージョンのうちのいずれかであるか、又はＧＡＲＣＨプロセスを使用してモデル化される、請求項２４に記載のコンピュータ・システム。
【請求項２６】
前記少なくとも１つのプロセッサ（１００）はさらに、
特定化検定を実行して、前記分布が前記少なくとも１つの事象のための履歴データに適合するかどうかを判断する、請求項２４に記載のコンピュータ・システム。
【請求項２７】
前記少なくとも１つのプロセッサ（１００）はさらに、
前記選択された分布の少なくとも１つのパラメータを推定する、請求項２４に記載のコンピュータ・システム。
【請求項２８】
前記少なくとも１つのパラメータを推定する前記少なくとも１つのプロセッサ（１００）はさらに、
履歴データを評価し、
前記少なくとも１つのパラメータを、モーメント・マッチング技術及び最大尤度技術のうち少なくとも１つを使用して推定する、請求項２７に記載のコンピュータ・システム。
【請求項２９】
前記少なくとも１つのパラメータを推定する前記少なくとも１つのプロセッサ（１００）はさらに、
前記オークションのインプライド確率分布の前記少なくとも１つのパラメータを推定する、請求項２７に記載のコンピュータ・システム。
【請求項３０】
前記少なくとも１つのパラメータを推定する前記少なくとも１つのプロセッサ（１００）はさらに、
前記事象を複数のパラメータによりモデル化する、請求項２２に記載のコンピュータ・システム。
【請求項３１】
前記少なくとも１つのプロセッサ（１００）はさらに、
前記事象を状態内統一モデルにより、又はグローバル正規分布モデルによりモデル化する、請求項３０に記載のコンピュータ・システム。
【請求項３２】
前記少なくとも１つのパラメータを推定する前記少なくとも１つのプロセッサ（１００）はさらに、
前記事象のための条件付平均値を決定する、請求項２２に記載のコンピュータ・システム。
【請求項３３】
前記複製組における各条件付請求権の前記希望する支払い及び前記少なくとも１つの選択された状態を決定する前記少なくとも１つのプロセッサ（１００）はさらに、
前記デリバティブ・ストラテジーのための前記複製組における各条件付請求権の前記希望する支払い及び前記少なくとも１つの選択された状態を、前記デリバティブ支払い関数、前記デリバティブ支払い関数の前記条件付期待値、及び、少なくとも１つの追加のデリバティブ・ストラテジーのパラメータの関数として決定し、前記パラメータは、前記少なくとも１つの追加のデリバティブ・ストラテジーの支払い関数、及び、前記少なくとも１つの追加のデリバティブ・ストラテジーの前記支払い関数の条件付期待値を含む、請求項１２に記載のコンピュータ・システム。